(57)【要約】      （修正有）【課題】芯材を設けることなく吊り元側縦框の火災時における強度を大きくすることのできるサッシを提供する。【解決手段】上枠と下枠と左の縦枠１２及び右の縦枠を枠組みしてなる枠体１内に、上框と下框、吊り元側縦框２２及び戸先側縦框を框組みした框体３内にパネル体４を納めてなる障子２を納め、吊り元側縦框２２は中空部２２ｄを有し、中空部２２ｄは内部壁２２ｈにより室内中空部２２ｉと室外中空部２２ｋとに分割される。吊り元側縦框２２は室外側に面する室外側壁２２ｇを有し、室外側壁２２ｇは中空部２２ｄを構成すると共に、内部壁２２ｈと対向する。【選択図】図５
2014109107.tif 000002
【特許請求の範囲】
【請求項１】
上枠と下枠及び左右の縦枠を枠組みしてなる枠体内に、上框と下框、吊り元側縦框及び
戸先側縦框を框組みした框体内にパネル体を納めてなる障子を納めたサッシにおいて、
前記吊り元側縦框は中空部を有し、該中空部は内部壁により室内中空部と室外中空部と
に分割されることを特徴とするサッシ。
【請求項２】
前記内部壁は前記框体の見付方向に伸びることを特徴とする請求項１記載のサッシ。
【請求項３】
前記吊り元側縦框は室外側に面する室外側壁を有し、該室外側壁は前記中空部を構成す
ると共に、前記内部壁と対向することを特徴とする請求項１または２記載のサッシ。
【請求項４】
前記吊り元側縦框は前記框体の見込方向に伸びる内周側壁と外周側壁を有し、該内周側
壁と外周側壁は前記中空部を構成すると共に、前記内周側壁と外周側壁を繋ぐように前記
内部壁が形成されることを特徴とする請求項１〜３のいずれか１項に記載のサッシ。
【請求項５】
前記縦枠には、前記吊り元側縦框の室内中空部と対向するように加熱発泡材が設けられ
ることを特徴とする請求項１〜４のいずれか１項に記載のサッシ。
【発明の詳細な説明】
【技術分野】
【０００１】
本発明は、枠体内に吊り元側を中心に開閉自在な障子を納めたサッシに関し、特に障子
を構成する吊り元側の縦框について火災発生時にも強度を確保できるサッシに関する。
【背景技術】
【０００２】
建物開口部に設けられる枠体内に、吊り元側を中心に開閉自在な障子を納めたサッシに
おいて、障子は、上框と下框、吊り元側縦框及び戸先側縦框を方形状に框組みしてなる框
体内にパネル体を納めて構成される。框体は、吊り元側において上下で回動自在に支持さ
れ、戸先側を開放することができる。框体を構成する框材は、アルミによって形成されて
いる。このような障子を備えたサッシとしては、例えば特許文献１に挙げるようなものが
ある。
【先行技術文献】
【特許文献】
【０００３】
【特許文献１】特許第３３６２１６６号公報
【発明の概要】
【発明が解決しようとする課題】
【０００４】
火災が発生してサッシが高温に晒されると、融点が比較的低いアルミからなる框材は、
加熱面側から溶融する。框材を構成する面が溶融すると、框材が強度を維持することがで
きず、変形するなどして枠体との間に隙間を生じる可能性がある。障子と枠体の間に隙間
を生じると、熱や炎が室内外に貫通することになり、防火性能を満足することができない
。特に、框体を構成する吊り元側縦框は、意匠性向上のため細幅に形成されることがあり
、火災時に強度を維持することができなくなる可能性が高い。
【０００５】
火災時にも框材の強度を確保するために、框材の中空内部にスチール製などの芯材を設
けることも考えられるが、芯材を設けた場合には、框体の重量が重くなり、輸送や取付作
業時における作業性を悪化させることとなる。また、框体内に芯材を挿入、固定する必要
があるため、製造時の工数も増加して、生産性を低下させるという問題もある。
【０００６】
本発明は前記課題を鑑みてなされたものであり、芯材を設けることなく吊り元側縦框の
火災時における強度を大きくすることのできるサッシを提供することを目的とする。
【課題を解決するための手段】
【０００７】
前記課題を解決するため、請求項１の発明に係るサッシは、上枠と下枠及び左右の縦枠
を枠組みしてなる枠体内に、上框と下框、吊り元側縦框及び戸先側縦框を框組みした框体
内にパネル体を納めてなる障子を納めたサッシにおいて、
前記吊り元側縦框は中空部を有し、該中空部は内部壁により室内中空部と室外中空部と
に分割されることを特徴として構成されている。
【０００８】
請求項１に係る発明によれば、火災発生時に室外側から加熱され吊り元側縦框の室外中
空部のホロー形状が維持できなくても、中空部内に内部壁が形成されていることにより室
内中空部はホロー形状を維持することができる。
【０００９】
また、請求項２の発明に係るサッシは、前記内部壁は前記框体の見付方向に伸びること
を特徴として構成されている。
【００１０】
請求項２に係る発明によれば、内部壁により中空部を室内側と室外側に分割でき、火災
時には内部壁が中空部の室外側面を構成することができる。
【００１１】
さらに、請求項３の発明に係るサッシは、前記吊り元側縦框は室外側に面する室外側壁
を有し、該室外側壁は前記中空部を構成すると共に、前記内部壁と対向することを特徴と
して構成されている。
【００１２】
請求項３に係る発明によれば、室外側壁が溶融すると室外中空部が開口してホロー形状
を維持できなくなるが、内部壁を室外側壁とする室内中空部によりホロー形状を維持する
ことができる。
【００１３】
さらにまた、請求項４の発明に係るサッシは、前記吊り元側縦框は前記框体の見込方向
に伸びる内周側壁と外周側壁を有し、該内周側壁と外周側壁は前記中空部を構成すると共
に、前記内周側壁と外周側壁を繋ぐように前記内部壁が形成されることを特徴として構成
されている。
【００１４】
請求項４に係る発明によれば、室内中空部と室外中空部とを内部壁で完全に分割し、室
内中空部だけでホロー形状が形成されるようにすることができる。
【００１５】
そして、請求項５の発明に係るサッシは、前記縦枠には、前記吊り元側縦框の室内中空
部と対向するように加熱発泡材が設けられることを特徴として構成されている。
【００１６】
請求項５に係る発明によれば、火災発生時にホロー形状を維持できる室内中空部に向か
って加熱発泡材が発泡するので、確実に縦枠と吊り元側縦框との間の隙間を塞ぐことがで
きる。
【発明の効果】
【００１７】
本発明に係るサッシによれば、中空部内に芯材などを設けることなく、吊り元側縦框の
火災時における強度を大きくすることができ、吊り元側縦框の変形などを抑えて枠体と障
子の間に隙間が発生しないようにすることができる。
【図面の簡単な説明】
【００１８】
【図１】本実施形態のサッシの縦断面図である。
【図２】本実施形態のサッシの横断面図である。
【図３】図１のうち上枠及び上框付近の拡大図である。
【図４】図１のうち下枠及び下框付近の拡大図である。
【図５】図２のうち吊り元側縦枠及び吊り元側縦框付近の拡大図である。
【図６】図２のうち戸先側縦枠及び戸先側縦框付近の拡大図である。
【図７】火災により室外側から熱を受けた吊り元側縦枠及び吊り元側縦框付近の横断面図である。
【発明を実施するための形態】
【００１９】
本発明の実施形態について図面に沿って詳細に説明する。図１には本実施形態のサッシ
の縦断面図を、図２には本実施形態のサッシの横断面図を、それぞれ示している。これら
各図に示すように、本実施形態のサッシは、建物開口部に設けられる枠体１内に障子２を
開閉自在となるように納められたテラス窓サッシである。障子２は、図２において左側が
吊り元側、右側が戸先側となっていて、吊り元側の縦辺を中心に戸先側を室外側に向かっ
て開放できるようになっている。
【００２０】
枠体１は、上下辺を構成する上枠１０及び下枠１１と、左右の縦辺を構成する吊り元側
縦枠１２及び戸先側縦枠１３とを、方形状に枠組みして構成される。障子２は、上下辺を
構成する上框２０及び下框２１と、左右の縦辺を構成する吊り元側縦框２２及び戸先側縦
框２３とを、方形状に框組みして構成された框体３内に、複層ガラス板からなるパネル体
４を納めて形成されている。框体３を構成する戸先側縦框２３には、室内外面にそれぞれ
開閉操作のためのハンドル５が設けられている。
【００２１】
枠体１の室内端部には、室内側に向かって延出されたアングル部１４が四周に渡って形
成されている。上辺と縦辺のアングル部１４は、枠体１の室内側に設けられる額縁材（図
示しない）の内周面に当接する。下辺のアングル部１４は、枠体１の室内側に設けられる
床材（図示しない）の内周面に当接する。
【００２２】
図３には、図１のうち上枠１０及び上框２０付近の拡大図を示している。上枠１０は、
アルミ製の金属上枠１０ａの室内側露出面を覆うように樹脂製の樹脂上枠１０ｂが一体化
されている。金属上枠１０ａは、障子２の上辺周面と対向する内周面１０ｃを有している
。内周面１０ｃの室内側には、見付方向内側、すなわち下方に向かって突出する室内側突
部１０ｄが形成されている。室内側突部１０ｄは、金属上枠１０ａ及び樹脂上枠１０ｂに
よって形成されている。
【００２３】
室内側突部１０ｄは、障子２を構成する上框２０の室内側面と対向し、先端部には上框
２０の室内側面に対して当接する気密材１０ｅが長手方向に沿って設けられている。室内
側突部１０ｄの見付方向内側端部位置は、上框２０の見付方向内側端部位置と略同位置と
なるように形成されている。これにより、上框２０の室内側面は上枠１０によって隠され
、上框２０が室内側から直接見えないように構成されている。
【００２４】
上框２０は、アルミ製の金属上框２０ａの室内側面を樹脂製の樹脂上框２０ｂが覆って
いる。上框２０の内周側には、パネル体４の上辺周縁部を保持する断面凹状のパネル体保
持溝２０ｃが形成されている。パネル体保持溝２０ｃの外周側には、上枠１０の内周面１
０ｃと対向する外周面部２０ｄを有している。
【００２５】
上枠１０の室内側突部１０ｄのうち室外側に面する側には、加熱発泡材１０ｆが配置さ
れる。また、上框２０の外周面部２０ｄには、加熱発泡材２０ｅが配置されている。火災
発生時にサッシが高温に晒されると、これらの加熱発泡材１０ｆ，２０ｅは発泡して体積
が膨張し、上枠１０と上框２０の間の隙間を塞いで熱や炎の貫通を防止する。
【００２６】
図４には、図１のうち下枠１１及び下框２１付近の拡大図を示している。下枠１１は、
アルミ製の金属下枠１１ａの室内側露出面を覆うように樹脂製の樹脂下枠１１ｂが一体化
されている。金属下枠１１ａは、障子２の下辺周面と対向する内周面１１ｃを有している
。内周面１１ｃの室内側には、見付方向内側、すなわち上方に向かって突出する室内側突
部１１ｄが形成されている。室内側突部１１ｄは、金属下枠１１ａ及び樹脂下枠１１ｂに
よって形成されている。室内側突部１１ｄに設けられた樹脂下枠１１ｂの上面は、枠体１
の室内側に設けられる床材と略面一状となる敷居面部１１ｆを構成している。
【００２７】
室内側突部１１ｄは、障子２を構成する下框２１の室内側面と対向し、先端部には下框
２１の室内側面に対して当接する気密材１１ｅが長手方向に沿って設けられている。室内
側突部１１ｄの見付方向内側端部位置は、下框２１の見付方向内側端部位置と略同位置と
なるように形成されている。これにより、下框２１の室内側面は下枠１１によって隠され
、下框２１が室内側から直接見えないように構成されている。
【００２８】
下框２１は、アルミ製の金属下框２１ａの室内側面を樹脂製の樹脂下框２１ｂが覆って
いる。下框２１の内周側には、パネル体４の下辺周縁部を保持する断面凹状のパネル体保
持溝２１ｃが形成されている。パネル体保持溝２１ｃを構成する底壁２１ｄのうち、下枠
１１の内周面１１ｃと対向する側の面には、保持部材２１ｅが係止固定される。
【００２９】
保持部材２１ｅは、下側に向かって突出状の保持片２１ｆ，２１ｆを室内外にそれぞれ
有している。保持片２１ｆ，２１ｆは、それぞれ先端部が互いに向き合う方向に突出する
略Ｌ字状に形成されることで、保持片２１ｆ，２１ｆ間にシート状の加熱発泡材２１ｇを
保持できるようになっている。加熱発泡材２１ｇは、両端部を保持片２１ｆ，２１ｆに保
持されて、下枠１１の内周面１１ｃに対向している。
【００３０】
下枠１１の内周面１１ｃには、スチール製の係合突部材１１ｇが固定されている。係合
突部材１１ｇは、内周面１１ｃから上方に突出する突部１１ｈを有しており、下框２１の
保持部材２１ｅと対向している。火災発生時にサッシが高温に晒されると、框体３を構成
する各框材が熱伸び及び屈曲変形するが、框体３の下辺は下枠１１の内周面１１ｃに接近
すると共に、室外側に開いていくように移動する。このとき、係合突部材１１ｇの突部１
１ｈが下框２１に設けられた保持部材２１ｅに対し係合することにより、框体３の移動を
規制し、障子２が開かないようにすることができる。
【００３１】
下枠１１の室内側突部１１ｄのうち室外側に面する側には、加熱発泡材１１ｇが配置さ
れている。この加熱発泡材１１ｇと下框２１の保持部材２１ｅに設けられた加熱発泡材２
１ｇは、火災発生時にサッシが高温に晒されると発泡して体積が膨張し、下枠１１と下框
２１の間の隙間を塞いで熱や炎の貫通を防止する。
【００３２】
図５には、図２のうち吊り元側縦枠１２及び吊り元側縦框２２付近の拡大図を示してい
る。吊り元側縦枠１２は、アルミ製の金属吊り元側縦枠１２ａの室内側露出面を覆うよう
に樹脂製の樹脂吊り元側縦枠１２ｂが一体化されている。金属吊り元側縦枠１２ａは、障
子２の吊り元側縦辺周面と対向する内周面１２ｃを有している。内周面１２ｃの室内側に
は、見付方向内側に向かって突出する室内側突部１２ｄが形成されている。室内側突部１
２ｄは、金属吊り元側縦枠１２ａ及び樹脂吊り元側縦枠１２ｂによって形成されている。
【００３３】
室内側突部１２ｄは、障子２を構成する吊り元側縦框２２の室内側面と対向し、先端部
には吊り元側縦框２２の室内側面に対して当接する気密材１２ｅが長手方向に沿って設け
られている。室内側突部１２ｄの見付方向内側端部位置は、吊り元側縦框２２の見付方向
内側端部位置と略同位置となるように形成されている。これにより、吊り元側縦框２２の
室内側面は吊り元側縦枠１２によって隠され、吊り元側縦框２２が室内側から直接見えな
いように構成されている。
【００３４】
吊り元側縦框２２は、アルミ製の金属吊り元側縦框２２ａと樹脂製の樹脂吊り元側縦框
２２ｂとが一体化されて構成されている。吊り元側縦框２２は、内周側にパネル体４の縦
辺周縁部を保持する断面凹状のパネル体保持溝２２ｃを有しており、パネル体保持溝２２
ｃの室内側壁を構成する部分が、樹脂吊り元側縦框２２ｂによって形成されている。
【００３５】
パネル体保持溝２２ｃの外周側には、長手方向に沿う断面中空状の中空部２２ｄが形成
されている。中空部２２ｄは、パネル体保持溝２２ｃの底壁となる内周側壁２２ｅと、吊
り元側縦框２２の外周面を構成する外周側壁２２ｆと、吊り元側縦框２２の室外面を構成
する室外側壁２２ｇとに囲まれている。外周側壁２２ｆは、室内側部分がゆるやかにカー
ブしており、そのまま内周側壁２２ｅと連続する。
【００３６】
中空部２２ｄ内には、内周側壁２２ｅと外周側壁２２ｆを繋ぐように框体３の見付方向
に伸びる内部壁２２ｈが形成されている。内部壁２２ｈは、中空部２２ｄを構成する室外
側壁２２ｇと対向している。この内部壁２２ｈによって、中空部２２ｄはそれぞれホロー
形状を有する室内中空部２２ｉと室外中空部２２ｋとに分割される。
【００３７】
吊り元側縦框２２のパネル体保持溝２２ｃ内には、パネル体４の周縁部室内側面と室外
側面及び外周面を取り囲むように、スチール製の保持金具２２ｍが設けられている。保持
金具２２ｍは、火災発生時に吊り元側縦框２２が軟化し、パネル体保持溝２２ｃでパネル
体４を保持する強度を確保できなくなった場合に、パネル体４の保持状態を維持すること
ができる。
【００３８】
縦枠１２の室内側突部１２ｄのうち室外側に面する側と、縦枠１２の内周面１２ｃには
、それぞれ吊り元側縦框２２の室内中空部２２ｉに対向するように加熱発泡材１２ｆ，１
２ｆが配置される。これらの加熱発泡材１２ｆ，１２ｆは、火災発生時にサッシが高温に
晒されると発泡して体積が膨張し、縦枠１２と吊り元側縦框２２の間の隙間を塞いで熱や
炎の貫通を防止する。
【００３９】
縦枠１２の内周面には、フィン状の室外突部１２ｇが形成されており、吊り元側縦框２
２の外周側壁２２ｆには、室外突部１２ｇより室内側位置にフィン状の外周突部２２ｐが
形成されている。吊り元側縦框２２の外周突部２２ｐは、縦枠１２の室外突部１２ｇと見
込方向で対向している。これらは、通常時においては耐風圧性を向上させるために設けら
れているが、火災時には互いに噛み合って、吊り元側縦框２２の反りを抑制する機能も有
している。
【００４０】
図６には、図２のうち戸先側縦枠１３及び戸先側縦框２３付近の拡大図を示している。
戸先側縦枠１３は、アルミ製の金属戸先側縦枠１３ａの室内側露出面を覆うように樹脂製
の樹脂戸先側縦枠１３ｂが一体化されている。金属戸先側縦枠１３ａは、障子２の戸先側
縦辺周面と対向する内周面１３ｃを有している。
【００４１】
戸先側縦枠１３の障子２より室内側部分は、見付方向内側に若干突出し、戸先側縦框２
３の室内側面と対向する部分には、戸先側縦框２３の室内側面に対して当接する気密材１
３ｄが長手方向に沿って設けられている。戸先側縦框２３にはハンドル５が設けられてい
るので、戸先側縦枠１３が戸先側縦框２３の室内側面を隠すような構造とはなっていない
。
【００４２】
戸先側縦框２３は、アルミ製の金属戸先側縦框２３ａの室内側露出部分を樹脂製の樹脂
戸先側縦框２３ｂで被覆して構成されている。戸先側縦框２３には、内周側にパネル体４
の縦辺周縁部を保持するパネル体保持溝２３ｃが形成されている。戸先側縦框２３の外周
面部２３ｄには、ハンドル５の回動操作により出没自在な係合部材２３ｅが設けられてお
り、戸先側縦枠１３の内周面１３ｃに対して係脱自在となっている。また、戸先側縦框２
３の室外面外周端部には、外周側に突出する室外対向部２３ｇが形成されており、戸先側
縦枠１３の室外側面と対向する。
【００４３】
戸先側縦框２３の外周面部２３ｄと室外対向部２３ｇには、戸先側縦枠１３と対向する
ように加熱発泡材２３ｈ，２３ｈが設けられる。また、戸先側縦枠１３の内周面１３ｃに
は、戸先側縦框２３と対向するように加熱発泡材１３ｆ，１３ｆが設けられる。これらの
加熱発泡材１３ｆ，２３ｈは、火災発生時にサッシが高温に晒されると発泡して体積が膨
張し、戸先側縦枠１３と戸先側縦框２３の間の隙間を塞いで熱や炎の貫通を防止する。
【００４４】
火災が発生してサッシが室外側から加熱されると、吊り元側縦框２２の室外側壁２２ｇ
は直接熱に晒される。金属吊り元側縦框２２ａは前述のようにアルミ製であるため、長時
間高温に晒されることによって、室外側面が軟化、溶融する。特に、吊り元側縦框２２は
戸先側縦框２３よりも見付方向幅が小さいため、火災時の比較的早期に室外側面が溶融し
てしまうこととなる。
【００４５】
図７には、火災により室外側から熱を受けた吊り元側縦框２２付近の横断面図を示して
いる。この図に示すように、室外側から熱を受けたことにより金属吊り元側縦框２２ａの
室外側面が失われると、吊り元側縦框２２の中空部２２ｄのうち、室外中空部２２ｋは開
口してしまうが、内部壁２２ｈは残るので、室内中空部２２ｉはホロー形状を維持するこ
とができる。
【００４６】
中空部２２ｄ内に内部壁２２ｈを設けて、室外側壁２２ｇが溶融しても室内中空部２２
ｉのホロー形状が維持できるようにしたことにより、中空部２２ｄ内に補強のための芯材
などを設けなくても、吊り元側縦框２２の強度を維持することができるので、吊り元側縦
框２２の変形を抑えて枠体１と障子２の間に隙間を生じさせないようにすることができる
。
【００４７】
また、吊り元側縦框２２の室外側面が失われると、パネル体保持溝２２ｃの室外側壁も
失われることとなるが、保持金具２２ｍがパネル体４の保持状態を維持することにより、
パネル体４が脱落することを防止することができる。
【００４８】
縦枠１２に設けられた加熱発泡材１２ｆ，１２ｆは、火災時にはそれぞれ発泡する。加
熱発泡材１２ｆ，１２ｆは吊り元側縦框２２の室内中空部２２ｉと対向するように配置さ
れているので、それぞれ吊り元側縦框２２の室内中空部２２ｉを構成する外周側壁２２ｆ
に向かって体積を膨張させる。前述のように、火災時にも室内中空部２２ｉのホロー形状
は維持されるので、加熱発泡材１２ｆ，１２ｆにより縦枠１２と吊り元側縦框２２との間
の隙間を確実に塞いで、熱や炎が室内外に貫通しないようにすることができる。
【００４９】
以上、本発明の実施形態について説明したが、本発明の適用は本実施形態には限られず
、その技術的思想の範囲内において様々に適用されうるものである。本実施形態のサッシ
は、障子が上下のピボットにより枠体に対し回動自在に支持されているが、障子の吊り元
側に蝶番を設けて枠体に対し回動自在となるようにしてもよい。
【００５０】
また、本実施形態では吊り元側縦框２２について、中空部２２ｄを室内外に分割するよ
うに内部壁２２ｈを設けたが、上框２０や下框２１あるいは戸先側縦框２３について、同
様に中空部を室内外に分割する構成としてもよい。
【００５１】
さらには、本発明は、本実施形態のようなテラス窓サッシのみでなく、引き違いサッシ
や開き窓サッシ、嵌め殺し窓サッシ、あるいは框体を有するドアなど、枠体内に障子など
の本体を納めてなるサッシであれば、どのような種類であっても適用することができる。
【符号の説明】
【００５２】
１    枠体
２    障子
３    框体
４    パネル体
１０    上枠
１１    下枠
１２    吊り元側縦枠
１２ａ  金属吊り元側縦枠
１２ｂ  樹脂縦枠
１２ｆ  加熱発泡材
１３    戸先側縦枠
２０    上框
２１    下框
２２    吊り元側縦框
２２ａ  金属吊り元側縦框
２２ｂ  樹脂吊り元側縦框
２２ｃ  パネル体保持溝
２２ｄ  中空部
２２ｅ  内周側壁
２２ｆ  外周側壁
２２ｇ  室外側壁
２２ｈ  内部壁
２２ｉ  室内中空部
２２ｋ  室外中空部
２２ｍ  保持金具
２３    戸先側縦框
【図１】
2014109107.tif 000003
【図２】
2014109107.tif 000004
【図３】
2014109107.tif 000005
【図４】
2014109107.tif 000006
【図５】
2014109107.tif 000007
【図６】
2014109107.tif 000008
【図７】
2014109107.tif 000009